(57)【特許請求の範囲】
【請求項１】
瓶の口部に内接しその口部を閉塞する中栓と、この中栓の外方から前記口部に螺着される外栓とからなる発泡性飲料用瓶のキャップにおいて、前記中栓は、上方が開放され下方が閉塞された筒状体とこれの下方に連設される発音リング体とを備え、前記外栓には、その内面側に、開栓時前記筒状体と係止して前記中栓を引き上げる中足が垂下した状態で設けられ、
開栓時、前記口部から離脱した中栓が外栓によって受け止められ、さらに、前記中栓が前記外栓よりも先に前記口部から離脱するよう構成されていることを特徴とする発泡性飲料用瓶のキャップ。
【請求項２】
筒状体の上端部および中足の下端部にそれぞれ係合部が形成されている一方、
前記外栓の天蓋部の内面には、天蓋部と同心円状に、円筒状の前記中足と円筒状の押圧リング体とが垂下した状態で設けられており、前記押圧リング体は、閉栓状態では中栓側に設けたフランジ部の上面に当接して、その下面を前記口部の上端面に密着させることができる程度の長さを有する請求項１に記載の発泡性飲料用瓶のキャップ。
【発明の詳細な説明】
【０００１】
【発明の属する技術分野】
この発明は、例えば、スパークリングワインなど炭酸ガスを含有する発泡性飲料を収容した瓶の口部を閉栓するキャップに関する。
【０００２】
【従来の技術】
前記発泡性飲料用瓶のキャップとしては、瓶の口部を確実に閉栓し、開栓に際してはキャップが内部のガス圧によって不意に飛び出さないことが要求される。このような要望に応えるものとして、従来、例えば実開平７−４０５２１号公報に記載されたキャップがある。このキャップは、瓶の口部に内接しその口部を閉塞する中栓と、この中栓の外方から前記口部に螺着される外栓とからなり、閉栓時には、まず、中栓を前記口部に打栓し、その後、外栓を前記口部に螺着し、開栓時には、外栓を緩める方向に回転させることにより、外栓と中栓とが一体的に回転するようにしたものである。
【０００３】
【発明が解決しようとする課題】
しかしながら、上記従来のキャップにおいては、中栓に設けられ瓶の口部と内接する嵌入部が長いとともに、開栓時、外栓と中栓とが一体となって前記口部を上昇するので、外栓が前記口部から離脱する瞬間に、容器内部のガス圧を受けた中栓が勢いよく飛び出すおそれがあり、安全性の面で必ずしも十分なものとはいえなかった。
【０００４】
この発明は、上述の事柄に留意してなされたもので、その目的は、開栓を確実かつ安全に行うことができる発泡性飲料用瓶のキャップ（以下、単にキャップという）を提供することである。
【０００５】
【課題を解決するための手段】
上記目的を達成するため、この発明は、瓶の口部に内接しその口部を閉塞する中栓と、この中栓の外方から前記口部に螺着される外栓とからなる発泡性飲料用瓶のキャップにおいて、前記中栓は、上方が開放され下方が閉塞された筒状体とこれの下方に連設される発音リング体とを備え、前記外栓には、その内面側に、開栓時前記筒状体と係止して前記中栓を引き上げる中足が垂下した状態で設けられ、
開栓時、前記口部から離脱した中栓が外栓によって受け止められ、さらに、前記中栓が前記外栓よりも先に前記口部から離脱するよう構成されていることを特徴とする。
【０００６】
上記構成のキャップによれば、中栓が瓶内のガス圧力を受けて口部から飛び出そうとしても、中栓が外栓によって受け止められるので、栓の飛び出しで人が怪我するといったようなことが確実に防止される。また、開栓に際しては、外栓を緩めるだけであるので、開栓に要する労力はきわめて少なくて済み、誰にでも安全確実かつ容易に開栓を行うことができる。
【０００７】
【発明の実施の形態】
以下、この発明の好ましい実施例を、図を参照しながら説明する。図１〜図４は、この発明の一つの実施例を示す。図１において、１は発泡性飲料を収容する例えばガラス製の瓶、２はその本体、３は瓶本体２の上方位置に周設されるサポートリング部、４はサポートリング部３より小径の口部、５は口部４の外周面４ａの上部側に形成される雄ねじ部である。
【０００８】
６は前記口部４に着脱自在に取り付けられるキャップで、互いに独立した中栓７と外栓８とからなり、中栓７は外栓８内に収容される大きさである。
【０００９】
前記中栓７は、図２〜図４に示すように、上方が開放され下方に板状の閉塞部９を有する平面視が円形の筒状体１０と、この筒状体１０の下方に連設される発音リング体１１とから主として構成されている。そして、この筒状体１０の閉塞部９からの上方に立設される外周面１０ａは、図２に示す閉栓状態において、その上端部が外栓８の天蓋部１６（後述する）の下面に密着する程度の高さに形成されているとともに、前記上端部の内側には凸状の係合部１２が周設されている。また、外周面１０ａには、口部４の上端面４ｂに当接するフランジ部１３が周設されている。さらに、筒状体１０の外周面１０ａ下部および発音リング体１１の外方にやや湾曲した外周面１１ａの上部には、口部４の内周面４ｃに密着する突部１４および１５が周設されている。この中栓７は、比較的柔らかくて密着性のよい樹脂、例えばポリエチレン樹脂を用いてインジェクション成形によって形成される。
【００１０】
前記中栓７は、図２に示すように、閉栓状態においては、筒状体１０の閉塞部９が瓶本体２内と口部４の開口側とを遮断するとともに、筒状体１０および発音リング体１１のそれぞれの外周面１０ａ，１１ａの一部または全部において口部４の内周面４ｃに密着するように内接し、しかも、外周面１０ａ，１１ａに突設されている突部１４および１５が内周面４ｃに密着し、外周面１０ａに形成されたフランジ部１３の下面が口部４の上端面４ｂに密着することにより、口部４を確実に閉塞する。
【００１１】
前記外栓８は、図２〜図４に示すように、平面視円形の天蓋部１６およびこれの周縁より垂下するスカート部１７から主として構成されている。そして、天蓋部１６には、その内面の天蓋部１６と同心円状に円筒状の中足１８および円筒状の押圧リング体１９が垂下した状態で設けられている。中足１８は、中栓７側の筒状体１０よりも若干小径で、これの内側に位置するように設けられ、その長さは、図２に示す閉栓状態において、筒状体１０の閉塞部９の上面に当接する程度に形成されているとともに、先端（下端）部の外側には筒状体１０側の係合部１２と係合する凸状の係合部２０が周設されている。また、押圧リング体１９は、中足１８と同心円状かつこれより外側に位置し、しかも、中栓７の筒状体１０よりも外側に位置するように設けられるとともに、図２に示す閉栓状態において、中栓７側のフランジ部１３の上面に当接して、その下面を口部４の上端面４ｂに密着させることができる程度の長さを有している。さらに、スカート部１７は、その内周面に口部４の雄ねじ部５と螺合する雌ねじ部２１が形成されているとともに、外周面には上下方向に複数のローレット溝２２が形成されている。この外栓８は、比較的硬い樹脂、例えばポリプロピレン樹脂を用いてインジェクション成形によって形成される。
【００１２】
前記外栓８は、図２に示すように、口部４に内接しこの口部４を閉塞する中栓７の外方から口部４に螺着される。
【００１３】
次に、上記構成のキャップ６の作動について、図２〜図４を参照しながら説明する。まず、内部にスパークリングワインなど発泡性飲料が内部に収容されている瓶１の口部４に対して、外栓８内に中栓７が予め収容されたキャップ６を位置させ、その状態で外栓８を口部４に螺合させ、所定方向に回転させて締め込んでいく。閉栓が完了した状態では、図２に示すように、中栓７が口部４に内接しこの口部４を閉塞するとともに、外栓８が口部４に確実に螺着された状態となる。
【００１４】
前記完全閉栓状態においては、筒状体１０の閉塞部９が瓶本体２内と口部４の開口側とを遮断するとともに、筒状体１０および発音リング体１１のそれぞれの外周面１０ａ，１１ａの一部または全部において口部４の内周面４ｃに密着するように内接し、しかも、外周面１０ａ，１１ａに突設されている突部１４および１５が前記内周面４ｃに密着し、前記外周面１０ａに形成されたフランジ部１３の下面が口部４の上端面４ｂに密着することにより、口部４が確実に閉塞される。この場合、外栓８側の押圧リング体１９が、筒状体１０の外周面に形成されたフランジ部１３を口部４の上端面４ｂに強く押圧するので、前記閉塞状態はより強固に保たれる。その結果、瓶１内の発泡性飲料は、外気と完全に遮断された状態で封入された状態を長期にわたって維持され、その風味や発泡性が損なわれることはない。
【００１５】
次に、前記閉栓状態にある瓶１を開栓するには、外栓８を開栓方向（前記締め込み方向と逆方向）に回転させる。この回転により、外栓８は、口部４に沿って上昇するが、この上昇の途中、外栓８側の中足１８の下端部の係合部２０が中栓７の筒状体１０の上端部の係合部１２に係合し、さらなる外栓８の上昇によって、中足１８も上昇しこの上昇に伴って中栓７が筒状体１０および発音リング体１１を口部４の上部側の内周面４ｃに摺接させながら上昇し、図３に示すように、発音リング体１１の下端が口部４の内周面４ｃの上部に辛うじて内接し、発音リング体１１は口部４から離脱寸前の状態となっている。この状態において、外栓８の雌ねじ部２１は、その下端有効部２１ａが口部４の雄ねじ部５の上端有効部５ａと螺合している。
【００１６】
そして、前記図３に示した状態において、中栓７は瓶１内の内圧によって上昇し、発音リング体１１が口部４の上端から外れ、中栓７が上方に飛び出し、所謂栓飛びする。前記発音リング体１１が口部４の上端から外れる際には、ポンという気持ちのよい開栓音が発せられる。このように、中栓７は栓飛びして上昇するが、口部４には外栓８がまだ螺合した状態で係止しているので、前記栓飛びした中栓７は、図４に示すように、外栓８の天蓋部１６の内面によって受け止められ、外部に飛び出すことはない。その後、外栓８を開栓方向に回転することにより、外栓８を、その内部に収容保持されている中栓７とともに口部４から完全に取り外すことができ、瓶１内の発泡性飲料をグラスに注ぐことができる。
【００１７】
つまり、この発明のキャップ６においては、開栓時の初期の段階において、中栓７は移動せず外栓８のみが上昇し、ある程度外栓８が上昇してから中栓７が外栓８に伴って上昇し、さらに、外栓８が口部４に係着されている最後の瞬間に中栓７が口部４から外れ、この外れた中栓７が外栓８に受け止められるようにしているので、開栓時、キャップ６が不意に栓飛びし、開栓者やその周囲にいる者に不測の怪我を与えたりするおそれがなくなる。
【００１８】
上述した実施例では、中栓７の筒状体１０の上端部の内側に係合部１２を設ける一方、外栓８の中足１８の下端部の外側に係合部２０が設けられているが、これに代えて、図５に示すように、筒状体１０よりも中足１８を若干大径とし、筒状体１０の上端部の外側に係合部１２を設ける一方、中足１８の下端部の内側に係合部２０を設けてもよい。
【００１９】
【発明の効果】
以上説明したように、この発明のキャップによれば、発泡性飲料を収容した瓶の口部を確実に閉栓することができ、発泡性飲料を長期にわたってその風味や発泡性が損なわれることはない。そして、前記キャップによれば、開栓が確実に行われるとともに、心地よい開栓音を伴って開栓することができるとともに、その開栓に際して、中栓および外栓が飛び出すことがなくなり、安全に開栓を行うことができる。また、開栓に際しては、外栓を緩めるだけであるので、開栓に要する労力はきわめて少なくて済み、誰にでも安全確実かつ容易に開栓を行うことができる。
【図面の簡単な説明】
【図１】  この発明のキャップとこれが止着される口部とを分解して示す図である。
【図２】  閉栓状態を示す縦断面図である。
【図３】  中栓が飛び出す寸前の開栓途中の状態を示す縦断面図である。
【図４】  中栓が外栓によって受け止められた開栓途中の状態を示す縦断面図である。
【図５】  キャップの他の実施例を示す図で、中栓が外栓によって受け止められた開栓途中の状態を示す縦断面図である。
【符号の説明】
１…瓶、４…口部、６…キャップ、７…中栓、８…外栓、１０…筒状体、１１…発音リング体、１２…係合部、１８…中足、２０…係合部。
【図１】
0004758557.tif 000002
【図２】
0004758557.tif 000003
【図３】
0004758557.tif 000004
【図４】
0004758557.tif 000005
【図５】
0004758557.tif 000006